(57)【特許請求の範囲】
【請求項１】
挿脱用の開孔を配設した見本台と組合せ使用される見本用口紅容器であって、色見本部体２ｂを有する台座２ａと、反色見本部体側の台座部分に取り付けられ、口紅Ａを出没自在に内装した本体２ｃと、本体２ｃが挿脱可能なキャップ３とを備え、前記キャップ３が基端部外周に見本台１の開孔縁に対する嵌着固定用部３２を有していることを特徴とする見本用口紅容器。
【請求項２】
本体２ｃが基端部外周にキャップ内面と接触可能なリング状シール部体４を有しているものを含む請求項１に記載の見本用口紅容器。
【請求項３】
嵌着固定用部３２が、上下フランジ３２ａ，３２ｂ，３２ｂ’を有し、それら上下フランジ間に開孔縁板厚と略一致する幅の溝３２ｃが形成され、下フランジ３２ｂ，３２ｂ’が断面積の減少したガイド面３２０を介してキャップ筒壁につながっている請求項１または２に記載の見本用口紅容器。
【発明の詳細な説明】
【０００１】
【発明の属する技術分野】
本発明は見本用口紅容器に関する。
【０００２】
【従来の技術】
口紅は使用者の嗜好に応ずるようにさまざまな色彩のものが提供される。こうした多種の色彩の選択を容易にしかつ試供して好みの色であるかを容易に判別確認できるようにする手段として、片側に色見本を備えた見本用口紅容器とこれを抜き差し可能に支える見本台からなる口紅見本セットが用いられている。
【０００３】
従来の口紅見本セットは、実公昭４６−２４５８５号公報のように、口紅を繰り出し自在に取り付けた筒状容器本体の反対側に口紅形状をした色見本部体を取付けた構造となっていて、筒状容器本体を見本台に設けた開孔に貫挿するようになっていた。
しかしこのような先行技術では、筒状容器本体の口紅を出没させる開口が常に開放されている。このため、筒状容器本体を見本台から抜き出して口紅を繰り出して供試するには便利であるが、色彩や塗布具合を確認の確認を終えて見本台に挿着しておくと、開放状態の筒状容器本体先端開口から水分や細かいゴミや埃などが侵入して内部の口紅に付着したり、乾いた空気や冷気で口紅を乾燥させたりし、それにより本来の色彩と微妙に異なるものになったり、品質、品位を低下させたり、不快感を招いたりする問題があった。
また、口紅に揮発性成分が含まれている場合には、その成分が消散して変質しやすいという問題があった。
【０００４】
この対策としては、筒状容器本体にキャップを装着し、このキャップ付き状態で見本台に挿脱することが考えられる。しかしこの構造では、希望する色彩の見本用口紅容器を見本台から引き出して色彩を確認する際に、いちいち筒状容器本体からキャップ着脱して操作を行わなければならない。そのため使い勝手が悪くなり、また、取り外したキヤップをテーブル上に置いたときに転がって落下したり、紛失したりしやすく、確認が終わってキャップを取り付けて見本台に差し込むときに、キャップが筒状容器本体から抜け出て見本台内に落ちてしまうことも多くなり、その場合の後始末が面倒であるという問題があった。
【０００５】
【発明が解決しようとする課題】
本発明は前記のような問題点を解消するために創案されたもので、その目的とするところは、色彩の確認判断のための出没操作性がよいうえ、確認後見本台に差し込むと自動的に筒状容器本体の先端開口が閉止され、口紅への他物の付着を防止することができる構造簡易な見本用口紅容器を提供することにある。
本発明の第２の目的は、第１の目的に加え、見本台への挿込み状態での気密性がよく、口紅が揮発性分を含有している場合にも、その成分の揮散を防止して長く良好な品質を維持することができる構造簡易な見本用口紅容器を提供することにある。
【０００６】
【課題を解決するための手段】
上記目的を達成するため本発明は、挿脱用の開孔を配設した見本台と組合せ使用される見本用口紅容器であって、色見本部体を有する台座と、反色見本部体側の台座部分に取り付けられ、口紅を出没自在に内装した本体と、本体が挿脱可能なキャップとを備え、前記キャップが基端部外周に前記見本台の開孔縁に対する嵌着固定用部を有している構成としている。
この構成によれば、見本用口紅容器を見本台に最初にセットするときに、台座が見本台にほぼ当接するまでキャップ付き本体を開孔に挿入するだけで嵌着固定用部によってキャップは見本台１に自動的に吊持固定される。
以後、台座を持って引き抜くと本体はキャップから抜け出るため、直ちに口紅の繰出し操作を行うことができ、使用後、本体を開孔に挿入すれば、本体の先端開口がキャップで閉じられているため、口紅に異物が付着したり、水分や乾気などが直接触れなくなる。
また、第２の目的を達成するため本発明は、本体の基端部外周にキャップ内面と接触可能なリング状シール部体を有している構成としている。
この構成により、本体を見本台の開孔に挿入すれば、本体の先端開口がキャップで覆われることに加えリング状シール部体により本体とキャップ間の隙間が気密シールされるため、口紅の揮発成分が揮散しなくなる。
【０００７】
【発明の実施の形態】
以下本発明の実施例を添付図面に基いて説明する。
図１ないし図４は本発明の第１実施例を示しており、１は合成樹脂製の見本台、２は合成樹脂製の見本用口紅容器であり、これらによって見本口紅セットが構成されている
見本台１は囲壁１ａと多数本の見本用口紅容器２を取り付得る面積の天壁１ｂとを有しており、この例では２つの天壁１ｂ，１ｂが段差をもって位置し全体として階段状となっている。そして、各天壁１ｂ，１ｂにはそれぞれ見本用口紅容器２を挿脱するための開孔１０が所定間隔で配設されている。図１では、開孔１０は上段の天壁１ｂの右端と、下段の天壁１ｂの右から２つ目とその隣だけを示している。天壁１ｂ，１ｂの下方は空間部１ｃとなっている。
この実施例では、開孔１０は図３のように円周上の数箇所（図面では４か所）に内方に突出する突起１００を有しており、その突起１００は下方に向かうほど内方に突出するように直線または曲率を描いており、底面は平らとなっている。
【０００８】
見本用口紅容器２は前記開孔１０よりも径の大きな筒形の台座２ａを有しており、この台座２ａの軸線方向一側に、口紅形状をなした色見本部体２ｂが基部をもって固定され、台座２ａの軸線方向他側には口紅Ａを出没自在に装備した本体２ｃが取り付けられ、その本体２ｃにはキャップ３が挿脱自在に外嵌されている。色見本部体２ｂは口紅Ａと同色に着色されている。
【０００９】
前記本体２ｃは、１８０度対称位置に縦溝２００を有し下端に段部を介して袴２０１を形成した内筒２０と、内面に螺旋溝２１０を有し前記内筒２０に回転自由に嵌められた外筒２１と、内筒２０内に配され、外周に前記縦溝２００を貫いて螺旋溝２１０に嵌まる突起２２０を１８０度対称位置に設けた口紅保持用の中皿２２とを備えている。
前記本体２ｃは前記台座２ａの空間部に袴２０１を嵌合することにより台座２ａに組み付けられており、口紅Ａが消費されたときには口紅Ａを装着した新たな本体２ｃと交換可能となっている。
【００１０】
キャップ３は頂壁３０と前記見本台１の開孔１０の径よりも適度に小さい径の筒壁３１とを有し、該筒壁３１の基端部外周部位に、前記見本台１の開孔１０に対する嵌着固定用部３２が形成されている。
この嵌着固定用部３２は、開孔１０の縁部上面に接触可能な上フランジ３２ａと、この上フランジ３２ａと対向する下フランジ３２ｂとを有し、それら上下のフランジ３２ａ，３２ｂ間に、筒壁外径と略一致する径と開孔１０の縁部肉厚と略一致する幅のリング状の溝３２ｃが形成されている。
上フランジ３２ａは台座２ａの下縁が当接しうる面積を有し、下フランジ３２ｂは外径が開孔１０の径よりもわずかに小さくなっており、断面積の減少したガイド面３２０を介して筒壁３１につながっている。そのガイド面３２０はこの例では直線状傾斜面となっているが、これに限らず曲率面でもよいし、直線状傾斜面または垂直面と曲率面とが組み合わされたものであってもよい。
【００１１】
図５は第１実施例における見本台１の開孔１０の他の例を示している。
すなわち、開孔１０に突起１００を設ける構成に代えて、開孔１０から半径方向に少なくとも２本のスリット１０１を形成することにより複数の分割開孔縁１０２を形成したものである。
この例の場合には、キャップ３の押込みにより下フランジ３２ｂのガイド面３２０で強圧されることにより分割開孔縁１０２が板厚方向でわん曲し、それにより開孔１０が拡大され、下フランジ３２ｂが開孔１０を通過する。それゆえ、キャップ３の筒壁３１の外径は開孔１０とほとんど一致していてもよい。
【００１２】
図６は本発明の第２実施例を示している。
この第２実施例はキャップ３の嵌着固定用部３２を第１実施例と逆の構造としたもので、すなわち、上フランジ３２ａと、断面積の減少したガイド面３２０を有し上面が開孔１０の縁部下面に接触可能な下フランジ３２ｂを備えているが、その下フランジ３２ｂは第１実施例のように環状に形成されておらず、円周方向で複数個たとえば３〜４個に分離した分割フランジ３２ｂ’，３２ｂ’となっている。したがって上下のフランジ間の溝３２ｃも円周上で間隔的に形成されている。
この第２実施例の場合には、見本台１の開孔１０は突起を設けずにキャップ３の筒壁外径と略同径の孔にするだけでよいため、見本台１の天壁１ｂが比較的弾性変形しやすい場合などにおいて有効である。
他の構造は第１実施例と同じであるから、同じ部分に同符号を付し、説明は省略する。
【００１３】
図７は本発明の第３実施例を示している。
この第３実施例においては、本体２ｃの内筒２０の基端部領域に環状保持溝２０４を形成し、該環状保持溝２０４にＯリングで代表される弾性を有するリング状シール部体４を取付けており、キャップ３の筒壁３１の基端部内周にはリング状シール部体４が密接すべき浅溝３１０を設けている。
その他の構造は第１実施例または第２実施例と同じであるから、対応する部位に同じ符号を付し、説明は省略する。
【００１４】
そのほか、本発明は、本体２ｃを見本台１に取り付けた状態で見本台１が上下に振動してもみだりに本体２ｃが抜け出さないようにするため、キャップ３の筒壁３１の基端部内周に浅溝３１０を設け、これに対応して前記内筒２０の基部領域に浅溝３１０に係合する複数個の係止突部２０３を設けている。この浅溝３１０と係止突部２０３は前記嵌着固定用部３２と開孔１０による保持力よりも弱い係止力となるように形状寸法が設定されている。
また、本発明は、口紅Ａの繰出し機構は図示する構造に限定されるものではなく、開孔１０の形状も円形に限らず角形などキヤップ３の輪郭と対応していればよい。
また、キャップ３あるいはさらに本体２ｃは抗菌剤を含有する合成樹脂で作られていてもよい。
【００１５】
【実施例の作用】
本発明の実施例の使用法と作用を説明すると、各見本用口紅容器２はそれぞれ色見本部体２ｂに合致した色彩の口紅Ａが装着されており、各見本用口紅容器２の外筒２１にはキャップ３が施されている。そして、これらの見本用口紅容器２を見本台１に取り付けるには、キャップ３を装着したまま、図２のように見本台１の開孔１０に強く差し込めばよい。
こうすれば、第１実施例では、本体２ｃを内蔵しているキャップ３は開孔１０から内部空間１ｃに突入され、キャップ３の基端部分が開孔１０に達すると、複数箇所の突起１００の斜面(または曲率面)に対して嵌着固定用部３２の下フランジ３２ｂのガイド面３２０が接触し始めて抵抗が生じ、天壁１ｂがわずかに湾曲するため開孔１０の径が少し拡大して下フランジ３２ｂの進入が許容される。
そして、下フランジ３２ｂの外端が突起１００を通過した瞬間、半径方向の強圧が開放されるため、上フランジ３２ａが開孔１０の周縁に接触するとともに上下フランジ３２ａ，３２ｂ間の溝３２ｃが開孔１０の各突起１００にぱちんと嵌合し、下フランジ３２ｂの上面が突起１００の下面に当接する。これにより図４の右側のようにキャップ３は基端部をもって見本台１にしっかりと固定され、残余の部分が見本台下方の空間１ｃに延在する。
【００１６】
以上の操作を各見本用口紅容器２について行えばよく、これで図１に示すように多数の見本用口紅容器２が見本台１に取付けられる。図１の上段の４本と下段の２本はこの時の状態を示している。
この状態では見本用口紅容器２の本体２ｃの軸線方向開口２４がキャップ３の頂壁３０によって覆われている。したがって、見本台１の内部空間１ｃにゴミや埃があっても、それらが口紅Ａに付着したりしない。また、内部空間１ｃの雰囲気が湿気を帯びていたり乾燥していても、そうした雰囲気が口紅Ａに直接作用しない。
そして、消費者が色見本部体２ｂを見て希望の色の見本用口紅容器２を確認する場合には、当該見本用口紅容器２の台座２ａをもって上方に引っ張ればよく、こうすれば、キャップ３は嵌着固定用部３２によって見本台１に保持固定されたままにあるから、第４図左側のように本体２ｃだけが台座２ｃと一緒に引き出され、自動的にキャップを取り外した状態となる。
したがって、外筒２１を回動するだけで螺旋溝２１０と縦溝２００とにより中皿２２が上昇して口紅Ａが繰り出されるため、すぐに口紅Ａの色合いを確認したり、唇へののり具合をたしかめることができる。
【００１７】
こうして確認を終えたならば、外筒２１を逆方向に回動して口紅Ａを内筒２０内に没入させ、台座２ｃを持って見本台１の開孔１０に挿入すればよい。こうすれば、再び本体２ｃの軸線方向開口２４がキャップ３の頂壁３０によって覆われる。したがって、確認のための使用時以外は口紅Ａに対して異物が付着したり、濡れたり、乾燥してしまったりすることが防止され、良好な品質と衛生状態を維持することができる。
【００１８】
第２実施例の場合には、円周上の複数の分割フランジ３２ｂ’，３２ｂ’が開孔１０を通過することにより開孔縁が上フランジ３２ａと複数の分割フランジ３２ｂ’，３２ｂ’とで挟持されるため、やはりしっかりとキャップ３を保持固定することができる。
第３実施例では、本体２ｃを開孔１０に挿入すると、見本台１に保持固定されているキャップ３の内面の浅溝３１０にリング状シール部体４が接触する。このため、本体２ｃの軸線方向開口２４がキャップ３によって気密にシールされた状態となり、口紅Ａが揮発成分を含有している場合にもこれをみだりに揮散させることがなくなり、長期に渡る見本使用を行っても良好な品質、品位を維持することができる。
なお、図５のように開孔１０がスリット１０１を有している場合には、キャップ３を装着したまま本体２ｃを開孔１０に差し込めば、分割開孔縁１０２，１０２が弾性変形して開孔１０が拡径し、下フランジ３２ｂが通過した瞬間、復元して溝３２ｃがパチンと開孔１０に嵌まり合うため、これまたしっかりとキャップ３を保持固定することができる。
【００１９】
【発明の効果】
以上説明した本発明の請求項１によるときには、見本台１の開孔１０に差し込むことによりキャップ３の嵌着固定用部３２が開孔縁部に強嵌するため、キャップ３が自動的に見本台１に保持固定され、色の確認するときには台座２ａを持って本体２ｃを引出せば、すぐに口紅Ａを繰り出して使用することができ、使用後に開孔１０を通して本体２ｃを挿入すれば、本体２ｃの繰出し開口がキャップ３によって覆われるため、口紅Ａにゴミ，ほこりなどの異物や湿気、乾気が付着したり作用したりせず、良好な衛生状態を保つことができ、構造も簡単で安価に実施できるというすぐれた効果が得られる。
請求項２によれば、本体２ｃの基端部外周にキャップの内面と接触するリング状シール部体４を取付けているため、確認使用した後、見本台１の開孔１０を通して本体２ｃを挿入すれば、繰出しのための開口がキャップ３によって覆われると同時にリング状シール部体４とキャップ３の内面とによって気密状態を形成できる。このため、口紅Ａが揮発性分を含むものである場合に、該成分が揮散することが防止され、長期間に渡って良好な品質と品位を維持することができるというすぐれた効果が得られる。
請求項３によれば、簡単な構造により確実な保持固定を行えるというすぐれた効果が得られる。
【図面の簡単な説明】
【図１】本発明の第１実施例の部分切欠斜視図である。
【図２】本発明の第１実施例の半断側面図である。
【図３】本発明の第１実施例の部分的拡大斜視図である。
【図４】本発明の第１実施例の使用状態を示す断面図であり、右側は見本用口紅容器を見本台にセットした状態を、左側は口紅の色の確認のため見本台から抜き出した状態を示す。
【図５】  (a)は本発明における見本台の開孔の他の例を示す断面図、(b)は同じくその平面図である。
【図６】本発明の第２実施例の部分切欠側面図である。
【図７】本発明の第３実施例を示す部分的拡大断面図である。
【符号の説明】
１  見本台
２  見本用口紅容器
２ａ  台座
２ｂ  色見本部体
２ｃ  本体
３  キャップ
４  リング状シール部体
１０  開孔
３２  嵌着固定用部
３２ａ  上フランジ
３２ｂ，３２ｂ’  下フランジ
３２ｃ  溝
３２０  ガイド面
Ａ  口紅
【図１】
0003816983.tif 000002
【図２】
0003816983.tif 000003
【図３】
0003816983.tif 000004
【図４】
0003816983.tif 000005
【図５】
0003816983.tif 000006
【図６】
0003816983.tif 000007
【図７】
0003816983.tif 000008